(57)【要約】【課題】同軸ケーブル用コネクタにおいて、同軸ケーブル用コネクタにおけるコンタクト端子の高密度化および同軸ケーブル用コネクタの小型化の両立を図ることができること。【解決手段】５本のコンタクト端子１２Ｄｉおよび４本のコンタクト端子１２Ｕｉが、それぞれ、Ｘ座標軸に沿って前後に配列され、かつ、図１におけるＺ座標軸に沿ったハウジング１６の横断面において、千鳥掛け状に配列されているもの。【選択図】図１
2015207486.tif 000002
【特許請求の範囲】
【請求項１】
複数のコンタクトパッドが形成される実装面を有する配線基板に配され、該コンタクトパッドと同軸ケーブルの一端とを電気的に接続する信号ライン用接触片および接地ライン用接触片をそれぞれ、含んでなる複数のコンタクト端子と、
前記配線基板に配され、前記コンタクト端子の信号ライン用接触片および接地ライン用接触片の各接点部をコンタクトパッドに押圧した状態で前記複数のコンタクト端子を収容するハウジングと、を備え、
前記複数のコンタクト端子は、前記配線基板の実装面に対し略直交する前記ハウジングの横断面に千鳥掛け状に配置されるとともに、前記配線基板の実装面における異なる位置に配置され、前記接地ライン用接触片は、前記複数のコンタクトパッドにそれぞれ当接する第１の接点部と、前記コンタクト端子のアウターシェルの２箇所に当接する第２の接点部と、を有することを特徴とする同軸ケーブル用コネクタ。
【請求項２】
前記信号ライン用接触片の接点部は、前記接地ライン用接触片の第１の接点部相互間に配置されることを特徴とする請求項１記載の同軸ケーブル用コネクタ。
【請求項３】
前記接地ライン用接触片の第２の接点部は、前記信号ライン用接触片の接点部および前記接地ライン用接触片の第１の接点部に対し離隔した位置に配置されることを特徴とする請求項２記載の同軸ケーブル用コネクタ。
【請求項４】
前記コンタクト端子のアウターシェルが、前記信号ライン用接触片を、絶縁部材を介して覆うとともに、該絶縁部材を該アウターシェルに固定するロック片を有することを特徴とする請求項１記載の同軸ケーブル用コネクタ。
【請求項５】
前記ハウジングは、隣接する前記コンタクト端子を仕切る整列板を有することを特徴とする請求項１記載の同軸ケーブル用コネクタ。
【請求項６】
前記整列板は、前記コンタクト端子の前記配線基板に対する相対位置を位置決めする位置決めピンを有することを特徴とする請求項５記載の同軸ケーブル用コネクタ。
【請求項７】
前記コンタクト端子における信号ライン用接触片および接地ライン用接触片が、一つの伝送路の一部を構成することを特徴とする請求項１記載の同軸ケーブル用コネクタ。
【発明の詳細な説明】
【技術分野】
【０００１】
本発明は、同軸ケーブル用コネクタに関する。
【背景技術】
【０００２】
同軸ケーブル用コネクタは、例えば、特許文献１にも示されるように、半導体試験装置、測定機器等において実用に供されている。そのような同軸ケーブル用コネクタは、各同軸ケーブルに接続される複数のコンタクト端子（特許文献１においては、組立体と呼称される）がそれぞれ、挿入される複数の挿入孔を筐体内に有している。各コンタクト端子は、同軸ケーブルの内部導体に接続されるシグナル端子を内部に有する絶縁部材と、絶縁部材を囲むように配置され、同軸ケーブルの外部導体に接続されるグランド端子とを含んで構成されている。その絶縁部材のシグナル端子は、回路基板のコンタクトパッドのような導体に接触される接触片を一端に有するともに、同軸ケーブルの内部導体に接続される一対の接触片を他端に有している。グランド端子は、絶縁部材の上部を覆う第１の半筒部と、第１の半筒部と結合され絶縁部材の下部を覆う第２の半筒部とから構成されている。その第１の半筒部は、上述の回路基板のコンタクトパッドのような導体に接触される１本または２本の基板用接触片を一端に有するともに、同軸ケーブルの外部導体に接続される一対の接触片を他端に有している。また、第２の半筒部は、上述の第１の半筒部の１本または２本の接触片が接触される回路基板の共通の導体に接触する１本または２本の基板用接触片を一端に有している。このようなコンタクト端子が、筐体の挿入孔に挿入される場合、第１の半筒部の周方向の中央部と第２の半筒部の周方向の中央部との間隔が、挿入孔の内壁に形成されるスロープと第１の半筒部との接触により、狭められるのでグランド端子の内周面と絶縁部材の外周面との間の隙間が低減されることとなる。
【０００３】
また、このような同軸ケーブル用コネクタにおいては、電子機器における信号路のチャンネル数の増大に伴いコンタクト端子の高密度化を図るとともに、同軸ケーブル用コネクタのさらなる小型化が要望されている。
【先行技術文献】
【特許文献】
【０００４】
【特許文献１】特開２０１３−２６１４５号公報
【発明の概要】
【発明が解決しようとする課題】
【０００５】
上述の特許文献１に示されるような、同軸ケーブル用コネクタにおけるコンタクト端子のグランド端子の複数の基板用接触片が、回路基板の１つの共通のコンタクトパッドに接触させる構成においては、コンタクトパッドの表面積をより小さくすることにも限界があり、同軸ケーブル用コネクタにおけるコンタクト端子の高密度化および同軸ケーブル用コネクタの小型化が困難である。また、各コンタクト端子を構成する部品の点数が多いので同軸ケーブル用コネクタの製造コストも嵩む虞もある。
【０００６】
以上の問題点を考慮し、本発明は、同軸ケーブル用コネクタであって、同軸ケーブル用コネクタにおけるコンタクト端子の高密度化および同軸ケーブル用コネクタの小型化の両立を図ることができる同軸ケーブル用コネクタを提供することを目的とする。
【課題を解決するための手段】
【０００７】
上述の目的を達成するために、本発明に係る同軸ケーブル用コネクタは、複数のコンタクトパッドが形成される実装面を有する配線基板に配され、コンタクトパッドと同軸ケーブルの一端とを電気的に接続する信号ライン用接触片および接地ライン用接触片をそれぞれ、含んでなる複数のコンタクト端子と、配線基板に配され、コンタクト端子の信号ライン用接触片および接地ライン用接触片の各接点部をコンタクトパッドに押圧した状態で複数のコンタクト端子を収容するハウジングと、を備え、複数のコンタクト端子は、ハウジングの横断面に千鳥掛け状に配置されるとともに、配線基板の実装面における異なる位置に配置され、接地ライン用接触片は、複数のコンタクトパッドにそれぞれ当接する第１の接点部と、コンタクト端子のアウターシェルの２箇所に当接する第２の接点部と、を有することを特徴とする。
【発明の効果】
【０００８】
本発明に係る同軸ケーブル用コネクタによれば、複数のコンタクト端子は、ハウジングの横断面に千鳥掛け状に配置されるとともに、配線基板の実装面における異なる位置に配置されるので同軸ケーブル用コネクタにおけるコンタクト端子の高密度化および同軸ケーブル用コネクタの小型化の両立を図ることができる。
【図面の簡単な説明】
【０００９】
【図１】本発明に係る同軸ケーブル用コネクタの第１実施例を示す斜視図である。
【図２】図１に示される例において、整列板を分解して示す斜視図である。
【図３】図１のＩＩＩ部を部分的に拡大して示す斜視図である。
【図４】図１に示される例を配線基板とともに示す斜視図である。
【図５】図４に示される例において、同軸ケーブル用コネクタを配線基板から取り外した状態を示す斜視図である。
【図６】図１に示される例において、コンタクト端子をハウジングから取り外した状態を示す斜視図である。
【図７】図１に示される例において用いられるコンタクト端子を分解して示す斜視図である。
【図８】図７におけるＶＩＩＩ部を部分的に拡大して示す斜視図である。
【図９】図１に示される例において用いられるコンタクト端子の平面図である。
【図１０】図１に示される例において用いられるコンタクト端子の正面図である。
【図１１】図９におけるＸＩ−ＸＩ線に沿って示される断面図である。
【図１２】図１０におけるＸＩＩ−ＸＩＩ線に沿って示される断面図である。
【図１３】図１に示される例において用いられるコンタクト端子を分解して示す斜視図である。
【図１４】（Ａ）は、図１に示される例における平面図であり、（Ｂ）は、（Ａ）に示される例における側面図である。
【図１５】（Ａ）は、図１４におけるＸＶＡ―ＸＶＡ線に沿って示される断面図であり、（Ｂ）は、図１４におけるＸＶＢ−ＸＶＢ線に沿って示される断面図である。
【図１６】（Ａ）は、図１４におけるＸＶＩＡ―ＸＶＩＡ線に沿って示される断面図であり、（Ｂ）は、図１４におけるＸＶＩＢ−ＸＶＩＢ線に沿って示される断面図である。
【図１７】本発明に係る同軸ケーブル用コネクタの第２実施例を示す斜視図である。
【図１８】図１７に示される例における正面図である。
【図１９】本発明に係る同軸ケーブル用コネクタの第３実施例に用いられるコンタクト端子を示す斜視図である。
【図２０】図１９に示される例における正面図である。
【図２１】図１９に示される例における側面図である。
【図２２】本発明に係る同軸ケーブル用コネクタの第３実施例を示す平面図である。
【図２３】図２２に示される例における正面図である。
【図２４】（Ａ）は、図２３におけるＸＸＩＶＡ−ＸＸＩＶＡ線に沿って示される断面図であり、（Ｂ）は、図２３におけるＸＸＩＶＢ−ＸＸＩＶＢ線に沿って示される断面図である。
【図２５】（Ａ）および（Ｂ）は、それぞれ、図１９に示されるコンタクト端子の動作説明に供される図である。
【発明を実施するための形態】
【００１０】
図４は、本発明に係る同軸ケーブル用コネクタの第１実施例を、接続される配線基板の被接続部と共に示す。
【００１１】
図４に示される配線基板１４は、例えば、測定機器の筐体の内部に配置されている。配線基板１４の被接続部の一方の実装面部には、図５に示されるように、２個の雌ねじ孔１４ａが、図５における直交座標におけるＹ座標軸に沿って所定の間隔をもって形成されている。なお、Ｙ座標軸は、配線基板１４の短辺における端面に対し略平行に設定されている。２個の雌ねじ孔１４ａには、後述する同軸ケーブル用コネクタ１０のハウジング１６を配線基板１４に固定するための２本の小ネジＢＳ１がそれぞれ、ねじ込まれる（図４参照）。これにより、ハウジング１６が配線基板１４に固定される。その際、後述するように、複数のコンタクト端子１２Ｕｉおよび１２Ｄｉにおいて、それぞれ、配線基板１４に対する半田付け作業が、不要とされる。
【００１２】
配線基板１４における雌ねじ孔１４ａ相互間には、図５に示されるように、コンタクトパッド群ＣＰＧ１およびＣＰＧ２が、Ｙ座標軸に直交するＸ座標軸に沿って互いに平行に所定の間隔をもって形成されている。配線基板１４の内部には、コンタクトパッド群ＣＰＧ１およびＣＰＧ２にそれぞれ電気的に接続され、複数の信号ラインおよび複数のグランドラインを形成する導体層が形成されている。
【００１３】
コンタクトパッド群ＣＰＧ１は、図５において、Ｙ座標軸に沿って左端位置から順次、配列される第１のコンタクトパッド部ＣＰ１、第２のコンタクトパッド部ＣＰ２、第３のコンタクトパッド部ＣＰ３、第４のコンタクトパッド部ＣＰ４、および、第５のコンタクトパッド部ＣＰ５から構成されている。また、隣接する第１のコンタクトパッド部ＣＰ１〜第５のコンタクトパッド部ＣＰ５は、それぞれ、微小な間隔をもって形成されている。第１のコンタクトパッド部ＣＰ１〜第５のコンタクトパッド部ＣＰ５は、それぞれ、互いに同一の構造を有しており、一対のグランドライン用パッド１４ＧＬと、信号ライン用パッド１４ＳＬとから構成されている。信号ライン用パッド１４ＳＬは、一対のグランドライン用パッド１４ＧＬの相互間に微小な間隔をもって一対のグランドライン用パッド１４ＧＬに対し平行に形成されている。即ち、第１のコンタクトパッド部ＣＰ１〜第５のコンタクトパッド部ＣＰ５は、それぞれ、中央位置にある信号ライン（以下、ＧＳともいう）を隣接するグランドライン（以下、ＧＬともいう）で挟む配列、即ち、ＧＬ−ＧＳ−ＧＬとなるようにパッドが配列されている。一つの伝送路（以下、チャンネルともいう）は、第１のコンタクトパッド部ＣＰ１〜第５のコンタクトパッド部ＣＰ５における一組となる一対のグランドライン用パッド１４ＧＬ、および、信号ライン用パッド１４ＳＬにより、形成されることとなる。従って、コンタクトパッド群ＣＰＧ１は、５チャンネルを形成している。
【００１４】
コンタクトパッド群ＣＰＧ２は、図５において、右端から第６のコンタクトパッド部ＣＰ６、第７のコンタクトパッド部ＣＰ７、第８のコンタクトパッド部ＣＰ８、および、第９のコンタクトパッド部ＣＰ９から構成されている。第６のコンタクトパッド部ＣＰ６〜第９のコンタクトパッド部ＣＰ９は、それぞれ、互いに同一の構造を有しており、一対のグランドライン用パッド１４ＧＬと、信号ライン用パッド１４ＳＬとから構成されている。第６のコンタクトパッド部ＣＰ６〜第９のコンタクトパッド部ＣＰ９は、それぞれ、第１のコンタクトパッド部ＣＰ１〜第５のコンタクトパッド部ＣＰ５と同様な構成を有している。従って、コンタクトパッド群ＣＰＧ２は、４チャンネルを形成している。なお、コンタクトパッド群ＣＰＧ１およびコンタクトパッド群ＣＰＧ２のチャンネル数は、それぞれ、斯かる例に限られることなく、例えば、４チャンネル未満、あるいは、６チャンネルを越えるように形成されてもよい。
【００１５】
同軸ケーブル用コネクタ１０は、図６に示されるように、配線基板１４に固定されコンタクト端子収容部を有するハウジング１６と、各同軸ケーブル群１２に接続される複数のコンタクト端子１２Ｕｉおよび１２Ｄｉと、整列板１８と、を主な要素として含んで構成されている。
【００１６】
同軸ケーブル群１２は、複数本の同軸ケーブル２０、例えば、所定の直径を有する細線同軸線で構成されている。各同軸ケーブル２０は、例えば、図８に部分的に拡大されて示されるように、円柱状の内部導体２０Ｂと、内部導体２０Ｂを、円筒状の絶縁部材を介して覆う外部導体２０Ａと、外部導体２０Ａを被覆する外被とから構成されている。
【００１７】
ハウジング１６は、例えば、樹脂材料で一体に成形され、向かい合う一対のフランジ部１６Ｆを側面部に有している。一対のフランジ部１６Ｆは、それぞれ、小ネジＢＳ１が挿入される貫通孔１６ａを有している。コンタクト端子収容部は、内部に後述する複数のコンタクト端子１２Ｕｉ（ｉ＝１〜４）および１２Ｄｉ（ｉ＝１〜５）を収容する。
【００１８】
ハウジング１６の一方の開口端部の上部は、図１および図６に示されるように、所定の間隔をもって３箇所に形成される仕切壁１６Ｐにより、４つに分割されている。４つに分割された小部屋１６Ｒは、図１に示される直交座標におけるＹ座標軸に沿って配列され互いに平行に形成されている。各分割された小部屋１６Ｒには、図１６（Ａ）および（Ｂ）に示されるように、それぞれ、コンタクト端子１２Ｕｉが挿入されている。小部屋１６Ｒは、図１におけるＸ座標軸に沿ってハウジング１６内に延びる個別の連通路１６Ｈ１に連通している。連通路１６Ｈ１における小部屋１６Ｒに開口する一方の開口部の端面には、図１６に示されるように、後述するコンタクト端子１２Ｕｉの鉤状部２２ＦＥが係合されている。また、ハウジング１６の他方の開口端部の上部には、図１４（Ｂ）に示されるように、各連通路１６Ｈ１に連通する各開口が、Ｙ座標軸に沿って一列に形成されている。各開口には、コンタクト端子１２Ｕｉのアウターシェル２４の端部が挿入されている。
【００１９】
また、ハウジング１６の小部屋１６Ｒの下方には、図２に示されるように、複数のコンタクト端子１２Ｕｉおよび１２Ｄｉの接触片、および、整列板１８が配される凹部が形成されている。凹部の外縁は、段差部１６Ｓ１および１６Ｓ２により形成されている。また、その凹部には、後述する整列板１８が挿入されている。段差部１６Ｓ１および１６Ｓ２におけるＹ座標軸に沿った長さは、上述の４つの小部屋１６ＲにおけるＹ座標軸に沿った全長よりも大に設定されている。段差部１６Ｓ１および１６Ｓ２におけるＺ軸線に沿った深さは、図１に拡大されて示されるように、ハウジング１６の下端面と装着された整列板１８の下面とが共通の平面上にあるように設定されている。
【００２０】
平板状の整列板１８は、例えば、樹脂材料により成形され、図２および図３に拡大されて示されるように、各小部屋１６Ｒおよび複数のコンタクト端子１２Ｕｉの接触片に対応して４個のスリット１８Ｈ１と、複数のコンタクト端子１２Ｄｉの接触片に対応して５個のスリット１８Ｈ２とを中央部に有している。隣接するスリット１８Ｈ１は、仕切壁１８Ｄ１により仕切られ、隣接するスリット１８Ｈ２は、仕切壁１８Ｄ２により仕切られている。これにより、隣接する複数のコンタクト端子１２Ｕｉおよび１２Ｄｉの接触片が互いに接触する虞がない。また、コンタクト端子１２Ｕｉおよび１２Ｄｉの位置が精度よく整列されることとなる。
【００２１】
また、整列板１８は、Ｙ座標軸に沿った両端に、段差部１６Ｓ２に嵌り合うフランジ部１８Ｆを有している。配線基板１４の表面に向かい合うフランジ部１８Ｆの下面には、上述の配線基板１４の孔１４ａ、１４ｂに嵌り合う位置決めピン１８Ｐ１、および、１８Ｐ２が形成されている。これにより、ハウジング１６の配線基板１４に対する相対位置が位置決めされることとなる。
【００２２】
さらに、ハウジング１６における上述の隣接する連通路１６Ｈ１相互間の下方となる位置には、図１５（Ｂ）に示されるように、複数の連通路１６Ｈ２が形成されている。各連通路１６Ｈ２の一方の端部は、上述の凹部内に開口している。各連通路１６Ｈ２の他方の端部は、図１４（Ｂ）に示されるように、ハウジング１６の他方の開口端部の下部に開口している。即ち、５つの連通路１６Ｈ２が一列に形成されている。従って、複数の連通路１６Ｈ１および連通路１６Ｈ２は、ハウジング１６における横断面において千鳥掛け状に配列されることとなる。
【００２３】
コンタクト端子１２Ｕｉは、図７に拡大されて示されるように、同軸ケーブル２０の内部導体２０Ｂに接続される信号ライン用接触片２２Ｍを内部に有するインシュレータ２２と、インシュレータ２２を覆う金属製のアウターシェル部材２４とから構成されている。
【００２４】
インシュレータ２２は、図１１および図１２に示されるように、信号ライン用接触片２２Ｍとともに樹脂材料でインサート成形されている。インシュレータ２２は、鉤状部２２ＦＥを一方の端部に有している。鉤状部２２ＦＥの上端には、アウターシェル部材２４のロック片２４Ｌが挿入される凹部２２ｄが形成されている。これにより、ロック片２４Lにより、インシュレータ２２がアウターシェル部材２４の内側に固定される。
【００２５】
鉤状部２２ＦＥの端部から突出する信号ライン用接触片２２Ｍの一方の端部には、上述の配線基板１４の信号ライン用パッド１４ＳＬに当接する接点部２２Ｃが形成されている。信号ライン用接触片２２Ｍの他方の端部には、図８に拡大されて示されるように、インシュレータ２２の他方の端部２２ＢＥから突出する分岐接続片２２ｆ１および２２ｆ２が形成されている。分岐接続片２２ｆ１および２２ｆ２には、同軸ケーブル２０の内部導体２０Ｂの端部が半田付け固定される。
【００２６】
アウターシェル部材２４は、図７および図１２に示されるように、薄板金属材料でインシュレータ２２の鉤状部２２ＦＥを取り囲む筒状部を有し、インシュレータ２２全体を覆う接触片カバー部２４ＦＥと、接触片カバー部２４ＦＥに連なりインシュレータ２２の鉤状部２２ＦＥに連なる柱状部を覆う管状部２４Ｔとから構成されている。
【００２７】
接触片カバー部２４ＦＥは、図７および図９に示されるように、上面に、インシュレータ２２の凹部２２ｄの周縁に係止されるロック片２４Ｌを有している。ロック片２４Ｌの基端は、接触片カバー部２４ＦＥの上面部に一体に形成されている。ロック片２４Lの先端は、内側に向け斜めに折り曲げられている。
【００２８】
上述の筒状部は、鉤状部２２ＦＥを取り囲むように、矩形断面を有している。接触片カバー部２４ＦＥの内側の先端から筒状部までの間には、インシュレータ２２の信号ライン用接触片２２Ｍの接点部２２Ｃ、および、接地ライン用接触片２４Ｍが配される空間が形成されている。
【００２９】
接触片カバー部２４ＦＥは、図１０乃至図１２に示されるように、インシュレータ２２の信号ライン用接触片２２Ｍの接点部２２Ｃに向けて延在する一対の接地ライン用接触片２４Ｍを下端に有している。一対の接地ライン用接触片２４Ｍの基端は、接触片カバー部２４ＦＥと一体に形成され、弾性変位可能とされている。接地ライン用接触片２４Ｍは、下向きに凸状に形成され、中間に第１の接点部２４Ｃｂと、先端に第２の接点部２４Ｃａとを有している。各接地ライン用接触片２４Ｍの第１の接点部２４Ｃｂおよび第２の接点部２４Ｃａは、それぞれ、接触片カバー部２４ＦＥの外周縁の下端の真下となる位置に配されている。これにより、同軸ケーブル用コネクタ１０が配線基板１４に固定された場合、図１６（Ｂ）に示されるように、第２の接点部２４Ｃａがアウターシェル２４の接触片カバー部２４ＦＥの外周縁の下端２４ＦＥｄに当接され、第１の接点部２４Ｃｂが配線基板１４のコンタクトパッド群ＣＰＧ２のコンタクトパッド１４ＧＬに当接することとなる。その際、第２の接点部２４Ｃａが、信号ライン用接触片２２Ｍの接点部２２Ｃの位置よりも前方に延在している。
【００３０】
コンタクト端子１２Ｄｉは、図１３に拡大されて示されるように、同軸ケーブル２０の内部導体２０Ｂに接続される信号ライン用接触片３２Ｍを内部に有するインシュレータ３２と、インシュレータ３２全体を覆う金属製のアウターシェル部材３４とから構成されている。
【００３１】
インシュレータ３２は、信号ライン用接触片３２Ｍとともに絶縁部材としての樹脂材料でインサート成形されている。これにより、信号ライン用接触片３２Ｍの外周部の一部とインシュレータ３２とは、隙間なく接合されている。インシュレータ３２は、鉤状部３２ＦＥを一方の端部に有している。鉤状部３２ＦＥの上端には、アウターシェル部材３４のロック片３４Ｌが係止される凹部３２ｄが形成されている。インシュレータ３２におけるＺ座標軸に沿った厚みは、図１５（Ｂ）に示されるように、上述のインシュレータ２２の対応する厚みに比して小に設定されている。
【００３２】
鉤状部３２ＦＥの端部から突出する信号ライン用接触片３２Ｍの一方の端部には、上述の配線基板１４の信号ライン用パッド１４ＳＬに当接する接点部３２Ｃが形成されている。信号ライン用接触片３２Ｍの他方の端部には、インシュレータ３２の他方の端部３２ＢＥから突出する分岐接続片３２ｆ１および３２ｆ２が形成されている。分岐接続片３２ｆ１および３２ｆ２には、同軸ケーブル２０の内部導体２０Ｂの端部が半田付け固定される。
【００３３】
アウターシェル部材３４は、薄板金属材料でインシュレータ３２の鉤状部３２ＦＥを取り囲む筒状部を有し、インシュレータ３２全体を覆う接触片カバー部３４ＦＥと、接触片カバー部３４ＦＥに連なりインシュレータ３２の鉤状部３２ＦＥに連なる柱状部を覆う管状部３４Ｔとから構成されている。
【００３４】
接触片カバー部３４ＦＥは、インシュレータ３２の凹部３２ｄの周縁に係止されるロック片３４Ｌを上面に有している。ロック片３４Ｌの基端は、接触片カバー部３４ＦＥの上面部に一体に形成されている。ロック片３４Lの先端は、その内側に向け斜めに折り曲げられている。
【００３５】
上述の筒状部は、鉤状部３２ＦＥを取り囲むように、矩形断面を有している。接触片カバー部３４ＦＥの内側の先端から筒状部までの間には、インシュレータ３２の信号ライン用接触片３２Ｍの接点部３２Ｃ、および、接地ライン用接触片３４Ｍが配される空間が形成されている。
【００３６】
接触片カバー部３４ＦＥは、インシュレータ３２の信号ライン用接触片３２Ｍの接点部３２Ｃに向けて延在する一対の接地ライン用接触片３４Ｍを下端に有している。一対の接地ライン用接触片３４Ｍの基端は、接触片カバー部３４ＦＥと一体に形成され、弾性変位可能とされている。接地ライン用接触片３４Ｍは、図１５（Ｂ）に示されるように、下向きに凸状に形成され、中間に第１の接点部３４Ｃｂと、先端に第２の接点部３４Ｃａとを有している。各接地ライン用接触片３４Ｍの第１の接点部３４Ｃｂおよび第２の接点部３４Ｃａは、それぞれ、接触片カバー部３４ＦＥの外周縁の下端３４ＦＥｄの真下となる位置に配されている。これにより、同軸ケーブル用コネクタが配線基板１４に固定された場合、図１５（Ｂ）に示されるように、第２の接点部３４Ｃａがアウターシェル３４の接触片カバー部３４ＦＥの外周縁の下端３４ＦＥｄに当接され、第１の接点部３４Ｃｂが配線基板１４のコンタクトパッド群ＣＰＧ１のコンタクトパッド１４ＧＬに当接することとなる。その際、第２の接点部３４Ｃａが、信号ライン用接触片３２Ｍの接点部３２Ｃの位置よりも前方に延在している。
【００３７】
これにより、各コンタクト端子１２Ｕｉにおける第１の接点部２４Ｃｂおよび第２の接点部２４Ｃａと、各コンタクト端子１２Ｄｉにおける各接地ライン用接触片３４Ｍの第１の接点部３４Ｃｂおよび第２の接点部３４Ｃａによって、接地ラインとの接続が確実となるのでグランドへの接地が強化されるとともに、インピーダンスなどの特性が向上することとなる。
【００３８】
加えて、図６に示されるように、５本のコンタクト端子１２Ｄｉおよび４本のコンタクト端子１２Ｕｉが、それぞれ、Ｘ座標軸に沿って前後に配列され、かつ、図１におけるＺ座標軸に沿ったハウジング１６の横断面において、図１４（Ｂ）に示されるように、千鳥掛け状に配列されているので同軸ケーブル用コネクタ１０におけるコンタクト端子の高密度化および同軸ケーブル用コネクタの小型化の両立を図ることができる。
【００３９】
コンタクト端子１２Ｄｉおよびコンタクト端子１２Ｕｉをハウジング１６に組み付けた後、ハウジング１６を配線基板１４に固定するにあたっては、先ず、５本のコンタクト端子１２Ｄｉがハウジング１６の凹部を通じて各連通路１６Ｈ２に挿入され、インシュレータ３２の鉤状部３２ＦＥが端面に当接することにより位置決めされる。次に、４本のコンタクト端子１２Ｕｉがハウジング１６の各小部屋１６Ｒに挿入され、インシュレータ２２の鉤状部２２ＦＥが端面に当接することにより、４本のコンタクト端子１２Ｕｉが位置決めされる。そして、整列板１８は、位置決めピン１８Ｐ１、および、１８Ｐ２が、それぞれ、配線基板１４の孔１４ａ、１４ｂに嵌り合うように、図１に示されるように、凹部内に挿入されるとともに、ハウジング１６が、図４に示されるように、配線基板１４に小ネジＢＳ１により固定される。従って、コンタクト端子１２Ｕｉ、１２Ｄｉにおける半田付今作業が不要とされる。
【００４０】
図１７および図１８は、本発明に係る同軸ケーブル用コネクタの第２実施例を、接続される配線基板の被接続部と共に示す。
【００４１】
図４に示される例においては、配線基板１４は、配線基板１４の被接続部の一方の実装面部に、コンタクトパッド群ＣＰＧ１およびＣＰＧ２が、Ｘ座標軸に沿って互いに平行に所定の間隔をもって形成されているが、図１７に示される例においては、配線基板１４´の被接続部の双方の実装面部に、それぞれ、上述したコンタクトパッド群ＣＰＧ１およびＣＰＧ２が、形成されている。なお、図１７において、図４および図５において同一の構成要素について同一の符号を付して示し、その重複説明を省略する。
【００４２】
配線基板１４´の被接続部の双方の実装面部には、２個の貫通孔が、所定の間隔をもって形成されている。２個の貫通孔には、配線基板１４´の被接続部を挟んで向かい合って配される２個の同軸ケーブル用コネクタ１０のハウジング１６を配線基板１４´に固定するための２本の小ネジＢＳ２がそれぞれ、挿入される。その際、２本の小ネジＢＳ２がナットＮｕにより締結される。
【００４３】
これにより、図４に示される例に比してコンタクト端子の配線基板１４´あたりのさらなる高密度化が図られることとなる。
【００４４】
図２２および図２３は、本発明に係る同軸ケーブル用コネクタの第３実施例を、接続される配線基板の被接続部と共に示す。
【００４５】
図６に示される例においては、ハウジング１６に収容される互いに形状が異なる４個のコンタクト端子１２Ｕｉおよび５個のコンタクト端子１２Ｄｉが、それぞれ、Ｙ座標軸およびＺ座標軸により画定される横断面に千鳥掛け状に配列された状態で配線基板１４に配され、同軸ケーブル群１２が、配線基板１４においてＸ座標軸に沿って延びるものとされるが、その代わりに、図２２および２３に示される例においては、ハウジング４０に収容される２２個の同一形状のコンタクト端子３０が、配線基板１４´におけるＸ座標軸およびＹ座標軸に画定される共通の平面上に格子状に配列され、各コンタクト端子３０に接続される各同軸ケーブル２０がＺ座標軸に沿って延びるもの、即ち、同軸ケーブル２０が配線基板１４の実装面に対し略垂直に延びるものとされる。
【００４６】
なお、図２１乃至図２５（Ａ）および（Ｂ）においては、図４に示される例における同一の構成要素について同一の符号を付して示し、その重複説明を省略する。
【００４７】
配線基板１４´において、コンタクトパッド群が、図２２に示される直交座標におけるＸ座標軸およびＹ座標軸により画定される平面上に格子状に所定の間隔をもって形成されている。配線基板１４´の内部には、コンタクトパッド群にそれぞれ電気的に接続され、複数の信号ラインおよび複数のグランドラインを形成する導体層が形成されている。
【００４８】
各コンタクトパッド群は、一対のグランドライン用パッドと、信号ライン用パッドとから構成されている。信号ライン用パッドは、一対のグランドライン用パッドの相互間に微小な間隔をもって一対のグランドライン用パッドに対し平行に形成されている。即ち、各コンタクトパッド群は、それぞれ、中央位置にある信号ライン（以下、ＧＳともいう）を隣接するグランドライン（以下、ＧＬともいう）で挟む配列、即ち、ＧＬ−ＧＳ−ＧＬとなるようにパッドが配列されている。
【００４９】
同軸ケーブル用コネクタは、配線基板１４´に固定され内部に後述する複数のコンタクト端子３０を収容するコンタクト端子収容部を有するハウジング４０と、各同軸ケーブル２０に接続される複数のコンタクト端子３０と、を主な要素として含んで構成されている。
【００５０】
ハウジング４０は、例えば、樹脂材料で略直方体に成形され、コンタクト端子収容部４０Ａｉ（ｉ＝１〜２２）を格子状に有している。各コンタクト端子収容部４０Ａｉは、Ｚ座標軸に沿ってハウジング４０の内側を貫通している。ハウジング４０は、コンタクト端子収容部４０Ａｉに隣接して斜めに向かい合う取付孔４０ａおよび４０ｂを有している。取付孔４０ａおよび４０ｂには、それぞれ、ハウジング４０を配線基板１４´に固定するための小ネジ（不図示）が挿入される。各小ネジは、配線基板１４´の雌ねじ孔にねじ込まれる。
【００５１】
コンタクト端子３０は、図１９乃至図２１に拡大されて示されるように、例えば、薄板金属材料で成形され、同軸ケーブル２０の一端が挿入され接続される筒状の接続端部３０Ａと、接続端部３０Ａと一体に成形され接点部３０Ｃ１および３０Ｃ２、３０Ｃ４，３０Ｃ５をそれぞれ、有する一対の接地ライン用接触片３０Ｍ１および３０Ｍ２と、一対の接地ライン用接触片３０Ｍ１および３０Ｍ２相互間に、接続端部３０Ａ内に嵌合されたインシュレータＩＳにより支持され、接点部３０Ｃ３を有する信号ライン用接触片３０Ｍ３と、を含んで構成されている。
【００５２】
接続端部３０Ａは、一対のばね片３０ａと、一対の係止片３０ｂとを有している。向かい合う一方の辺の一対のばね片３０ａは、同軸ケーブル２０の外皮を挟持し、向かい合う他方の辺における一対の係止片３０ｂは、同軸ケーブル２０の外部導体に食い込み同軸ケーブル２０を保持する。
【００５３】
二股状の一対の接地ライン用接触片３０Ｍ１および３０Ｍ２は、それぞれ、配線基板１４´の表面に対し所定の角度をもって交差するように、傾斜した後、第１の接点部３０Ｃ１および３０Ｃ２を先端に形成するように接続端部３０Ａ側に折り返されている。接地ライン用接触片３０Ｍ１および３０Ｍ２の最先端には、第２の接点部３０Ｃ４および３０Ｃ５が形成されている。第２の接点部３０Ｃ４および３０Ｃ５と接続端部３０Ａの下端３０ａｅとの間には、図２０および２１に拡大されて示されるように、所定の隙間ＣＬが形成されている。
【００５４】
二股状の一対の接地ライン用接触片３０Ｍ１および３０Ｍ２Ｍの第１の接点部３０Ｃ１および３０Ｃ２は、それぞれ、所定の圧力で押圧された後、ハウジング４０が配線基板１４´に固定される場合、図２４（Ｂ）および図２５（Ｂ）に示されるように、配線基板１４´の一対のグランドライン用パッドに当接されるとともに、第２の接点部３０Ｃ４および３０Ｃ５と接続端部３０Ａの下端３０ａｅとが当接されることとなる。これにより、接地ラインとの接続が確実となるのでグランドへの接地が強化されるとともに、インピーダンスなどの特性が向上することとなる。また、信号ライン用接触片３０Ｍ３の接点部３０Ｃ３は、図２４（Ａ）に示されるように、ハウジング４０が配線基板１４´に固定される場合、配線基板１４´の信号ライン用パッドに当接される。これにより、図２３に示されるように、信号ライン用接触片３０Ｍ３が、一対の接地ライン用接触片３０Ｍ１および３０Ｍ２Ｍ相互間に配されることとなる。
【符号の説明】
【００５５】
１０    同軸ケーブル用コネクタ
１２Ｕｉ，１２Ｄｉ    コンタクト端子
１６、４０    ハウジング
１８    整列板
２２Ｍ，３０Ｍ３，３２Ｍ    信号ライン用接触片
２４Ｍ、３０Ｍ１，３０Ｍ２、３４Ｍ    接地ライン用接触片
３４Ｃｂ    第１の接点部
３４Ｃａ    第２の接点部
【図１】
2015207486.tif 000003
【図２】
2015207486.tif 000004
【図３】
2015207486.tif 000005
【図４】
2015207486.tif 000006
【図５】
2015207486.tif 000007
【図６】
2015207486.tif 000008
【図７】
2015207486.tif 000009
【図８】
2015207486.tif 000010
【図９】
2015207486.tif 000011
【図１０】
2015207486.tif 000012
【図１１】
2015207486.tif 000013
【図１２】
2015207486.tif 000014
【図１３】
2015207486.tif 000015
【図１４】
2015207486.tif 000016
【図１５】
2015207486.tif 000017
【図１６】
2015207486.tif 000018
【図１７】
2015207486.tif 000019
【図１８】
2015207486.tif 000020
【図１９】
2015207486.tif 000021
【図２０】
2015207486.tif 000022
【図２１】
2015207486.tif 000023
【図２２】
2015207486.tif 000024
【図２３】
2015207486.tif 000025
【図２４】
2015207486.tif 000026
【図２５】
2015207486.tif 000027